(57)【要約】      （修正有）【課題】夜間等の特定時間帯ではナースコール親機からの放送操作を無効とし、火災発生等の非常時においては放送操作を有効とするナースコールシステムを提供する。【解決手段】火災等の非常事態発生を通報する非常通報装置が制御機４に接続され、制御機ＣＰＵ３２は非常通報装置５から非常通報信号を受信したら、各ナースコール子機１及びナースコール親機３に対して警報発報を実施させるための非常事態発生信号を送信する。そして、この非常事態発生信号の送信が一斉放送を無効とする時間帯に実施された場合は、制御機ＣＰＵ３２は放送無効制御を解除させ、ナースコール親機３からの一斉放送を可能とした。【選択図】図１
2009081553.tif 000002
【特許請求の範囲】
【請求項１】
看護師を呼び出すためにベッド毎に設置されたナースコール子機と、前記ナースコール子機からの呼び出しを表示する廊下灯と、呼び出しに応答するためにナースステーションに設置されたナースコール親機と、前記ナースコール子機と前記ナースコール親機との間の通信を制御する制御機とを有し、前記制御機は前記ナースコール親機と複数の前記ナースコール子機との間で送話路を形成して前記ナースコール親機から一斉放送を実施可能としたナースコールシステムであって、
前記ナースコール親機或いは前記制御機に、所定の時間帯は一斉放送を無効とする一斉放送無効制御部を設けたことを特徴とするナースコールシステム。
【請求項２】
火災等の非常事態発生を通報する非常通報装置が別途設置され、前記ナースコール親機、前記制御機或いは前記廊下灯の何れかに、前記非常通報装置が送出する非常通報信号を受信する非常通報受信部及び、非常通報信号を受信したら各ナースコール子機及びナースコール親機に対して警報発報を実施させるための非常事態発生信号を送信する発報制御手段が設けられている場合は、
一斉放送を無効とする時間帯に前記非常事態発生信号の送信が成されたら、前記一斉放送無効制御部は無効制御を解除し、前記ナースコール親機からの一斉放送を可能とすることを特徴とする請求項１記載のナースコールシステム。
【発明の詳細な説明】
【技術分野】
【０００１】
本発明はナースコールシステムに関し、特に一斉放送機能を備えたナースコールシステムに関する。
【背景技術】
【０００２】
ナースコールシステムは、通常ナースコール親機側から複数の患者に対して同時に送話を行うための一斉放送機能が設けられ、各患者に共通する項目の連絡や、緊急時の避難誘導等に利用されている。また、従来のナースコールシステムには、勤務時間帯の変更操作に連動させて、特定の勤務時間帯においてナースコール親機およびナースコール子機の音量を変更するよう構成されたものがある（たとえば、特許文献１を参照）。こうすることで、夜間等の時間帯は患者に静かな環境を提供するようにしている。また、勤務時間帯に連動させることで、別途音量の変更操作をすることなく看護師の負担を軽減できるようにしている。
【特許文献１】特開２００５−３４８１４９号公報
【発明の開示】
【発明が解決しようとする課題】
【０００３】
しかしながら、上記特許文献１のナースコールシステムは、時間帯により呼出音等が制御されても、ナースコール親機から放送を行うことを妨げるものではなかった。これは、緊急時の放送は常に実施可能とする必要があるためで、このために看護師等により緊急ではない要件でナースコール親機で放送操作がなされた場合においても、時間帯を問わず大きな音量で放送されるし、本来通知対象でない患者に対して通知音を鳴動させることがあるため、これを解消することが望まれていた。
【０００４】
そこで、本発明はこのような問題点に鑑み、夜間等の特定の時間帯ではナースコール親機からの放送操作を無効とし、火災発生等の非常時においては常時放送操作を有効とするナースコールシステムを提供することを目的とする。
【課題を解決するための手段】
【０００５】
上記課題を解決する為に、請求項１の発明は、看護師を呼び出すためにベッド毎に設置されたナースコール子機と、ナースコール子機からの呼び出しを表示する廊下灯と、呼び出しに応答するためにナースステーションに設置されたナースコール親機と、ナースコール子機とナースコール親機との間の通信を制御する制御機とを有し、制御機はナースコール親機と複数のナースコール子機との間で送話路を形成してナースコール親機から一斉放送を実施可能としたナースコールシステムであって、ナースコール親機或いは制御機に、所定の時間帯は一斉放送を無効とする一斉放送無効制御部を設けたことを特徴とする。
この構成によれば、所定の時間帯はナースコール親機からの一斉放送操作が無効となるため、一斉放送操作が成されてもナースコール子機は通知音を鳴動しない。よって、一定の時間帯の間は入院患者に対して静かな環境を提供できる。
尚、一斉放送とは、ナースコール親機の操作により全ての入院患者に対して放送により通知する操作は勿論のこと、入院患者のうちの一部の複数の患者に対してナースコール親機から送話する操作も含むものである。
【０００６】
請求項２の発明は、請求項１に記載の発明において、火災等の非常事態発生を通報する非常通報装置が別途設置され、ナースコール親機、制御機或いは廊下灯の何れかに、非常通報装置が送出する非常通報信号を受信する非常通報受信部及び、非常通報信号を受信したら各ナースコール子機及びナースコール親機に対して警報発報を実施させるための非常事態発生信号を送信する発報制御手段が設けられている場合は、一斉放送を無効とする時間帯に非常事態発生信号の送信が成されたら、一斉放送無効制御部は無効制御を解除し、ナースコール親機からの一斉放送を可能とすることを特徴とする。
この構成によれば、火災等の非常発生時においては時間帯に関わらず一斉放送を実施でき、避難誘導放送をスムーズに行うことができ、安全かつ迅速な避難が可能になる。
【発明の効果】
【０００７】
本発明によれば、一斉放送操作が成されても、決められた所定の時間帯ではナースコール子機は通知音を鳴動しない。よって、入院中の患者に対し、静かな環境を提供できる。
そして、火災発生等の非常時においては時間帯に関わらず一斉放送を行うことができ、避難誘導放送等をスムーズに行うことができる。
【発明を実施するための最良の形態】
【０００８】
以下、本発明を具体化した実施の形態を、図面に基づいて詳細に説明する。図１は、本発明に係るナースコールシステムの一例を示すブロック図であり、図１に示すように看護師を呼び出すためにベッド毎に設置されたナースコール子機１と、ナースコール子機１からの呼び出しを病室毎に表示する廊下灯２と、呼び出しに応答するためにナースステーションに設置されたナースコール親機３と、ナースコール子機１とナースコール親機３との間の通信を制御する制御機４とを備え、火災等の緊急事態の発生を通知するための非常通報装置５が制御機４に接続されている。
【０００９】
ナースコール子機１は、患者が看護師を呼ぶ際に操作する通常呼出ボタン１０、緊急時に看護師が操作する緊急呼出ボタン１１、看護師と通話をするための子機マイク１２及び子機スピーカ１３、廊下灯２と通信を行うための子機インターフェース（子機ＩＦ）１４等を備えている。
【００１０】
廊下灯２は、患者情報を表示するための液晶表示部１７、患者からの呼び出しを表示する表示灯１８、待受状態に戻すための復旧ボタン１９、廊下灯全体を制御する廊下灯ＣＰＵ２０等を備えている。
【００１１】
ナースコール親機３は、患者の氏名や性別等の患者情報、患者の看護区分や診療科目等の看護情報等を表示するためのディスプレイ２２、各種操作を行うためのタッチパネル２３、患者から呼び出しが成されたら呼出音を報音する呼出音発生回路２４、患者と通話をするためのマイク及びスピーカを備えた通話部２５、通話を制御する通話回路２６、制御機４と通信を行うための親機インターフェース（親機ＩＦ）２７、ナースコール親機全体を制御する親機ＣＰＵ２８等を備えている。
【００１２】
制御機４は、勤務時間帯情報や放送操作を無効とする放送無効時間帯を記憶するメモリ３０、非常通報装置５から送信された信号を受信する非常通報受信部３１、ナースコール親機３とナースコール子機１との間の通信を制御すると共に制御機４全体を制御する制御機ＣＰＵ３２等を備えている。
【００１３】
このように構成されたナースコールシステムの動作は以下のようである。ナースコール子機１の通常呼出ボタン１０が操作されると、呼出信号が廊下灯２に伝送され、廊下灯ＣＰＵ２０は、表示灯１８を点滅等の表示動作をさせ、制御機４を介してナースコール親機３に呼出信号を送信する。ナースコール親機３の親機ＣＰＵ２８は、この信号を受けて呼出音発生回路２４を制御して通話部２５のスピーカから呼出音を鳴動させて応答を待つ。
【００１４】
呼び出しを受けて、看護師によりナースコール親機３が応答操作されたら、親機ＣＰＵ２８は通話開始信号を親機ＩＦ２７を介して制御機４へ送出する。制御機ＣＰＵ３２は、この信号を受けて、廊下灯２を介してナースコール子機１に対して通話開始通知信号を送信し、通話の開始を通知する。また同時に、廊下灯２とナースコール親機３との間の通話路を形成して通話が可能となる。
【００１５】
一方、ナースコール親機３からの特定のナースコール子機１が選択されて通話操作が成された場合、親機ＣＰＵ２８はナースコール子機１と通話を行うための通話開始信号を親機ＩＦ２７を介して制御機４へ送出する。制御機ＣＰＵ３２は、この信号を受けて廊下灯２を介してナースコール子機１に対して通話開始通知信号を送信し、通話の開始を通知する。そして、廊下灯２とナースコール親機３との間の通話路を接続する制御を実施し、看護師と患者の間で通話が可能となる。
【００１６】
また、ナースコール親機３からの一斉放送は次のように行われる。特定の複数の患者に対して看護師がアナウンスしたい場合は、まずタッチパネル２３等の操作でナースコール子機１或いは病室が選択される。この操作で、制御機ＣＰＵ３２はナースコール親機３と選択された複数のナースコール子機１との間に送話路を形成し、ナースコール親機３からの送話が可能となる。こうして、選択された複数の患者に対して通話部２５を使用して放送が実施される。
【００１７】
そして、ナースコール親機３が操作されて、昼勤，夜勤等の看護師の勤務時間帯の変更が成された場合は次のように動作する。看護師がナースコール親機３のタッチパネル２３を操作して時間帯の変更操作が行われると、親機ＣＰＵ２８は、時間帯を変更したことを通知する時間帯変更通知信号を制御機４に送信する。制御機ＣＰＵ３２は、この信号を受けて、メモリ３０を参照して変更された勤務時間帯情報を引き出してディスプレイ２２に表示する。また、制御機ＣＰＵ３２は、メモリ３０から放送無効時間帯を読み出して、変更した時間帯が例えば夜勤時間帯であって放送操作を無効とする時間帯と一致する場合は、放送操作が無効であることを通知する放送操作無効通知信号を、ナースコール親機３に送信する。
【００１８】
放送操作無効通知信号を受け取った親機ＣＰＵ２８は、ディスプレイ２２を制御して操作画面より放送操作に関する操作メニューを色変更或いは消去等の通常の表示と異なる表示に切り替えることにより、放送操作が無効になっていることを看護師に通知する。合わせてタッチパネル２３を制御して放送操作を不可とする。
【００１９】
この時、非常通報装置５から非常通報信号が制御機４に送信されたら、非常通報受信部３１にて受信され、非常通報受信部３１から制御機ＣＰＵ３２に通知される。制御機ＣＰＵ３２は、この信号を受けて非常事態が発生したことを通知する非常事態発生信号をナースコール親機３と全ての廊下灯２に送信する。合わせて、放送無効時間帯にある場合は、それを解除する放送無効解除信号をナースコール親機３に送信する。
【００２０】
非常事態発生信号を受信した個々の廊下灯ＣＰＵ２０は、関連する全てのナースコール子機１を制御して子機スピーカ１３から非常事態発生通知音を鳴動させる。
また、非常事態発生信号を受信した親機ＣＰＵ２８は、呼出音発生回路２４を制御して通話部２５のスピーカから非常事態発生通知音を鳴動させる。更に、放送無効解除信号を受信した親機ＣＰＵ２８は、ディスプレイ２２を制御して操作画面より放送操作に関する操作メニューを復帰表示させ、放送操作が有効になっていることを看護師に通知する。更に、タッチパネル２３を制御して放送操作が行なえるようにする。
【００２１】
このように、所定の時間帯はナースコール親機からの一斉放送操作が無効になるため、一斉放送操作が成されても、ナースコール子機は通知音を鳴動しない。よって、入院中の患者に対し、静かな環境を提供できる。
そして、火災発生等の非常時においては、時間帯に関わらず一斉放送操作を有効とすることにより、避難誘導放送をスムーズに行うことができ、安全かつ迅速な避難が可能になる。
【００２２】
尚、上記実施形態では、放送無効時間帯を看護師の夜勤の勤務時間帯に連動させているが、独立した時間帯で設定しても良く、放送無効時間帯に入ったら上述したようにタッチパネル２３を制御して放送操作を行えないようにすれば良い。また、制御機４の制御により、一斉放送を無効とする制御を行っているが、この一斉放送無効制御部はナースコール親機３に設けても良い。
更に、一斉放送を個々のナースコール子機１の子機スピーカ１３を使用して実施しているが、病室毎に別途放送用スピーカが設置されている場合は、この放送用スピーカにより一斉放送を実施しても良い。また、ナースコール子機１からの呼び出しに対して、ナースステーションに居ない看護師が応答するための携帯端末（図示せず）を備えている場合は、放送操作無効の対象に携帯端末から行う放送を加えるとよい。
【００２３】
また、制御機４に非常通報受信部３１を設けて、非常通報装置５を制御機４に接続しているが、ナースコール親機３に非常通報受信部３１を設けてもよいし、廊下灯２に非常通報受信部３１を設けても良い。
また、放送操作を無効とする制御において、ナースコール親機３にて放送操作メニューを消去あるいは色変更などで放送操作が無効となっていることを操作者に報知させているが、これに限定されるものではない。少なくとも、ナースコール親機３にて放送操作を行っても、制御機ＣＰＵ３２が放送操作を無効として放送制御しなければ良く、放送操作を受けたらナースコール親機３に放送不可通知を行っても良い。
【図面の簡単な説明】
【００２４】
【図１】本発明に係るナースコールシステムの実施形態の一例を示すブロック図である。
【符号の説明】
【００２５】
１・・ナースコール子機、２・・廊下灯、３・・ナースコール親機、４・・制御機、５・・非常通報装置、１０・・通常呼出ボタン、１３・・子機スピーカ、２０・・廊下灯ＣＰＵ、２２・・ディスプレイ、２３・・タッチパネル、２５・・通話部、２８・・親機ＣＰＵ、３０・・メモリ、３１・・非常通報受信部、３２・・制御機ＣＰＵ（一斉放送無効制御部、発報制御手段）。
【図１】
2009081553.tif 000003